(57)【要約】【課題】電源電線と送り電線の挿入する順番を規制し、誤配線を防止することができる端子台装置を提供する。【解決手段】第１電線、第２電線を挿入する２つの電源電線挿入孔２１２が形成された端子台上面部２１０を有する電源端子台２００と、第１カバーシート４１０と、端子台上面部２１０と第１カバーシート４１０とに挟まれ、端子台上面部２１０と第１カバーシート４１０との間をスライドする第２カバーシート４２０とを備え、第１カバーシート４１０は、第１電線を挿入する第１カバー側第１電線孔４１２ｂと第１電線の挿入を案内する第１電線用傾斜部４１２ａと第２電線を挿入する第１カバー側第２電線用穴４１３とを備え、第２カバーシート４２０は、第１電線を挿入する第２カバー側第１電線用穴４２２と第２電線を挿入する第２カバー側第２電線孔４２３ｂと第２電線の挿入を案内する第２電線用傾斜部４２３ａとを備える。【選択図】図６
2014154338.tif 000002
【特許請求の範囲】
【請求項１】
第１電線を挿入する端子台側第１挿入孔と、第２電線を挿入する端子台側第２挿入孔とが形成された孔形成面を有する端子台と、
前記端子台の前記孔形成面と対向しながらスライドする第１カバーシートと、
前記孔形成面と前記第１カバーシートとに挟まれ、前記孔形成面と前記第１カバーシートとの間をスライドする第２カバーシートと
を備え、
前記第１カバーシートは、
前記第１電線を挿入する第１カバー側第１挿入孔と、前記第１カバー側第１挿入孔の周縁に設けられ、前記第１電線の挿入を案内する第１カバー側傾斜面と、第２電線を挿入する第１カバー側第２挿入孔とを備え、
前記第２カバーシートは、
前記第１電線を挿入する第２カバー側第１挿入孔と、前記第２電線を挿入する第２カバー側第２挿入孔と、前記第２カバー側第２挿入孔の周縁に設けられ、前記第２電線の挿入を案内する第２カバー側傾斜面とを備える
ことを特徴とする端子台装置。
【請求項２】
前記第１カバーシートと前記第２カバーシートとは、
前記第１カバー側第１挿入孔と第２カバー側第１挿入孔とが重なるとともに、前記第２カバー側第１挿入孔と前記端子台側第１挿入孔の少なくとも一部とが連通する第１連通部分の一部を前記第１カバー側第１挿入孔の前記第１カバー側傾斜面が塞ぐ第１の位置に配置され、
前記第１カバーシートは、
前記第１の位置にある場合に、前記第１電線の先端部分によって第１カバー側傾斜面が押圧されると、前記第１カバー側傾斜面が押圧されることで第１カバー側傾斜面が移動する所定の方向にスライドし、前記所定の方向にスライドすることにより、前記第１カバー側傾斜面により塞がれていた前記第１連通部分と前記第１カバー側第１挿入孔とが連通するとともに、前記第１カバー側第２挿入孔から前記第２カバー側傾斜面と前記端子台側第２挿入孔の一部とが露出し、
前記端子台側第１挿入孔は、前記第１連通部分の一部と前記第１カバー側第１挿入孔とが連通した部分から前記第１電線の先端部分が前記第１カバー側第１挿入孔と第２カバー側第１挿入孔とを介して挿入される
ことを特徴とする請求項１に記載の端子台装置。
【請求項３】
前記第２カバーシートは、
前記第１電線の先端部分が前記第１カバー側第１挿入孔と第２カバー側第１挿入孔とを介して挿入された後、前記第１カバー側第２挿入孔と前記端子台側第２挿入孔の少なくとも一部とが連通する第２連通部分の一部を前記第２カバー側第２挿入孔の前記第２カバー側傾斜面により塞ぎ、前記第２電線の先端部分によって第２カバー側傾斜面が押圧されると、前記第２カバー側傾斜面が押圧されることで第２カバー側傾斜面が移動する前記所定の方向にスライドし、前記所定の方向にスライドすることにより、前記第２カバー側傾斜面により塞がれていた前記第２連通部分の一部と前記第２カバー側第２挿入孔とが連通し、
前記端子台側第２挿入孔は、前記第２連通部分の一部と前記第２カバー側第２挿入孔とが連通した部分から前記第２電線の先端部分が前記第１カバー側第２挿入孔と第２カバー側第２挿入孔とを介して挿入される
ことを特徴とする請求項２に記載の端子台装置。
【請求項４】
前記端子台は、さらに、
送り電線を挿入する端子台側第３挿入孔を前記孔形成面に備え、
前記第１カバーシートは、さらに、
前記送り電線を挿入する第１カバー側第３挿入孔を備え、
前記第２カバーシートは、さらに、
前記送り電線を挿入する第２カバー側第３挿入孔を備え、
前記第１カバーシートと前記第２カバーシートとは、
前記第１の位置にある場合に、前記第１カバー側第３挿入孔と第２カバー側第３挿入孔とを介して前記送り電線が前記端子台側第３挿入孔に挿入できない位置に配置され、
前記端子台側第３挿入孔は、
前記第２電線の先端部分が前記第１カバー側第２挿入孔と第２カバー側第２挿入孔とを介して前記端子台側第２挿入孔に挿入された後、前記第１カバー側第３挿入孔と第２カバー側第３挿入孔とを介して前記送り電線が挿入される
ことを特徴とする請求項２または３に記載の端子台装置。
【請求項５】
前記端子台は、さらに、
アース線を挿入する端子台側アース線挿入孔を前記孔形成面に備え、
前記第１カバーシートは、さらに、
前記アース線を挿入する第１カバー側アース線挿入孔と、前記第１カバー側アース線挿入孔の周縁に設けられ、前記アース線の挿入を案内するアース線用傾斜面とを備え、
前記第２カバーシートは、さらに、
前記アース線を挿入する第２カバー側アース線挿入孔を備え、
前記第１カバーシートと前記第２カバーシートとは、
前記第１カバー側アース線挿入孔から前記端子台側アース線挿入孔の一部が露出するとともに、前記第１カバー側第１挿入孔と第２カバー側第１挿入孔とを介して前記第１電線が前記端子台側第１挿入孔に挿入できないとともに、前記第１カバー側第２挿入孔と第２カバー側第２挿入孔とを介して前記第２電線が前記端子台側第２挿入孔に挿入できない位置である第２の位置に配置され、
前記端子台側アース線挿入孔は、
前記第１カバーシートと前記第２カバーシートとが前記第２の位置にある場合に、前記アース線の先端部分によって前記アース線用傾斜面が押圧されると、前記アース線用傾斜面が押圧されることで前記アース線用傾斜面が移動する所定の方向に前記第１カバーシートがスライドし、前記アース線が挿入され、
前記第１カバーシートと前記第２カバーシートとは、
前記アース線が前記第１カバー側アース線挿入孔と前記第２カバー側アース線挿入孔とを介して前記端子台側アース線挿入孔に挿入されると、前記第１の位置に配置されることを特徴とする請求項２〜４のいずれかに記載の端子台装置。
【請求項６】
第１電線を挿入する端子台側第１挿入孔と、第２電線を挿入する端子台側第２挿入孔とが形成された孔形成面を有する端子台に用いる端子台カバーにおいて、
前記端子台の前記孔形成面と対向しながらスライドする第１カバーシートと、
前記孔形成面と前記第１カバーシートとに挟まれ、前記孔形成面と前記第１カバーシートとの間をスライドする第２カバーシートと、
内部に前記第１カバーシートと前記第２カバーシートとを重ねて収納し、前記第１カバーシートが臨む窓部を備えるとともに、前記第２カバーシートと前記孔形成面とが対向する部分が開口するカバー本体と
を備え、
前記第１カバーシートは、
前記第１電線を挿入する第１カバー側第１挿入孔と、前記第１カバー側第１挿入孔の周縁に設けられ、前記第１電線の挿入を案内する第１カバー側傾斜面と、第２電線を挿入する第１カバー側第２挿入孔とを備えるとともに、前記第１カバー側第１挿入孔と前記第１カバー側傾斜面と前記第１カバー側第２挿入孔とが前記窓部から臨む位置に配置され、
前記第２カバーシートは、
前記第１電線を挿入する第２カバー側第１挿入孔と、前記第２電線を挿入する第２カバー側第２挿入孔と、前記第２カバー側第２挿入孔の周縁に設けられ、前記第２電線の挿入を案内する第２カバー側傾斜面とを備える
ことを特徴とする端子台カバー。
【発明の詳細な説明】
【技術分野】
【０００１】
本発明は、例えば、端子台に装着される端子台カバー及び端子台カバーを装着した端子台である端子台装置に関するものである。
【背景技術】
【０００２】
従来、端子台等の誤配線防止を目的とする部品として、同極の端子を同時に塞ぐために、あるいは使用しない電線挿入孔を塞ぐために、電線挿入孔に挿入して使用する部品がある（例えば、特許文献１参照）。
【先行技術文献】
【特許文献】
【０００３】
【特許文献１】特許第４９１２７２７号公報
【発明の概要】
【発明が解決しようとする課題】
【０００４】
先行技術では、電線を挿入する際に電線挿入孔を塞いでいる部品を取り除いてから使用する構造であるため、例えば、アース線と電源電線との挿入する順番を規制できず、誤配線防止が確実に行えないという課題がある。
【０００５】
本発明は、アース線と電源電線、電源電線と送り電線の挿入する順番を規制し、確実に誤配線を防止することができる端子台装置及び端子台カバーを提供することを目的とする。
【課題を解決するための手段】
【０００６】
本発明に係る端子台装置は、第１電線を挿入する端子台側第１挿入孔と、第２電線を挿入する端子台側第２挿入孔とが形成された孔形成面を有する端子台と、前記端子台の前記孔形成面と対向しながらスライドする第１カバーシートと、前記孔形成面と前記第１カバーシートとに挟まれ、前記孔形成面と前記第１カバーシートとの間をスライドする第２カバーシートとを備え、前記第１カバーシートは、前記第１電線を挿入する第１カバー側第１挿入孔と、前記第１カバー側第１挿入孔の周縁に設けられ、前記第１電線の挿入を案内する第１カバー側傾斜面と、第２電線を挿入する第１カバー側第２挿入孔とを備え、前記第２カバーシートは、前記第１電線を挿入する第２カバー側第１挿入孔と、前記第２電線を挿入する第２カバー側第２挿入孔と、前記第２カバー側第２挿入孔の周縁に設けられ、前記第２電線の挿入を案内する第２カバー側傾斜面とを備えることを特徴とする。
【発明の効果】
【０００７】
本発明に係る端子台装置によれば、第１カバーシートと第２カバーシートとによって、電源電線および送り電線の挿入順番を規制することができ、電源電線、送り電線の誤挿入を防止することができる。
【図面の簡単な説明】
【０００８】
【図１】実施の形態１に係る電源端子台２００を示す斜視図である。
【図２】実施の形態１に係る電源端子台カバー３００を示す斜視図である。
【図３】実施の形態１に係る電源端子台カバー３００の分解斜視図である。
【図４】実施の形態１に係る電源端子台２００及び電源端子台カバー３００を示す図であり、（ａ）は電源端子台２００の正面図、（ｂ）は第１カバーシート４１０の正面図、（ｃ）は第２カバーシート４２０の正面図である。
【図５】実施の形態１に係る電源端子台２００において、アース電線１２１、電源電線１２２，１２３を挿入する過程を示す斜視図である。
【図６】実施の形態１に係る電源端子台２００において、アース電線１２１を挿入する過程を示す正視図である。
【図７】実施の形態１に係る電源端子台２００において、電源電線１２２，１２３を挿入する過程を示す正視図である。
【図８】実施の形態１に係る電源端子台２００及び電源端子台カバー３００を示す図であり、（ａ）が図４（ａ）のＢ−Ｂ断面図、（ｂ）が図４（ａ）のＣ−Ｃ断面図、（ｃ）が図４（ｂ）のＤ−Ｄ断面図、（ｄ）が図４（ｂ）のＥ−Ｅ断面図、（ｅ）が図４（ｃ）のＦ−Ｆ断面図、（ｆ）が図４（ｃ）のＧ−Ｇ断面図である。
【図９】第１カバーシート４１０と第２カバーシート４２０と電源端子台２００との位置関係を示す電源端子台２００の断面の模式図であり、（ａ）はアース電線１２１挿入前の状態を示す図、（ｂ）はアース電線１２１挿入後の状態を示す図である。
【図１０】第１カバーシート４１０と第２カバーシート４２０と電源端子台２００との位置関係を示す電源端子台２００の断面の模式図であり、（ｃ）は電源電線１２２挿入後の状態を示す図、（ｄ）は電源電線１２３挿入後の状態を示す図である。
【発明を実施するための形態】
【０００９】
以下の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１は、本実施の形態に係る電源端子台２００の斜視図である。
【００１１】
電源端子台２００は、略直方体形状の電源端子台本体２１０を備える。電源端子台本体２１０は、端子台上面部２２１と、端子台上面部２２１の短手方向の両端部から端子台上面部２２１に対してほぼ直角に形成された２つの端子台側面部２２２とを備える。
【００１２】
電源端子台２００は、端子台上面部２２１（孔形成面）に形成された２つのアース線挿入孔２１１と、アース線挿入孔２１１と同一面に形成され、電源電線が挿入される電源電線挿入孔２１２と、電源電線挿入孔２１２と同一面に形成され、送り電線が挿入される送り電線挿入孔２１３とを備える。
また、電源端子台２００は、アース線挿入孔２１１に挿入されるアース線の嵌合を解除するアース線解除穴２１４と、電源電線挿入孔２１２及び送り電線挿入孔２１３に挿入される電源電線ならびに送り電線の嵌合を解除する２つの電線解除穴２１５とを端子台上面部２２１に備える。
【００１３】
電源端子台２００は、アース線挿入孔２１１を備える面（すなわち、端子台上面部２２１）とは異なる面に形成され、照明器具などの内部配線が挿入される内部配線孔２１６と、照明器具などに固定される係止爪２１７と、照明器具などに固定されるネジが挿入されるネジ穴２１８とを備える。
係止爪２１７は、両側の端子台側面部２２２に備えられる。
【００１４】
電源端子台２００は、短手方向の両端部（Ｔ１−Ｔ２方向の両側）の端子台側面部２２２であって対向する２つの端子台側面部２２２に、後述する電源端子台カバー３００の係止突出片３２２がスライド自在に挿入される２つのスライド溝２１９を備える。
【００１５】
図２は、本実施の形態に係る電源端子台カバー３００を示す斜視図である。図３は、本実施の形態に係る電源端子台カバー３００の分解斜視図である。図４（ａ）は、電源端子台２００の正面図、図４（ｂ）は、第１カバーシート４１０の正面図、図４（ｃ）は、第２カバーシート４２０の正面図である。
図２〜図４を用いて、本実施の形態に係る電源端子台カバー３００について説明する。
【００１６】
図２及び図３に示すように、電源端子台カバー３００は、カバー本体３１０と、このカバー本体３１０に収納される２枚のカバーシート４００を有する。以下において、２枚のカバーシート４００のうち、上方に配置されるカバーシート４００を第１カバーシート４１０、第１カバーシート４１０の下方に配置されるカバーシート４００を第２カバーシート４２０とする。また、第１カバーシート４１０と第２カバーシート４２０を併せて、単にカバーシート４００ともいう。
【００１７】
カバー本体３１０は、内部に第１カバーシート４１０と第２カバーシート４２０とを重ねて収納する。
図３に示すように、カバー本体３１０は、一面が開口する開口部３１３を有する箱状をなす。開口部３１３は、第２カバーシート４２０と端子台上面部２２１とが対向する部分が開口する。カバー本体３１０には、２枚のカバーシート４００が挿入されるカバーシート挿入部３１１と、このカバーシート挿入部３１１からカバーシート４００が挿入されたとき、このカバーシート４００が臨む窓部３１２が形成される。窓部３１２からは、上方に配置される第１カバーシート４１０が臨む。
また、カバー本体３１０は、短手方向両側にカバー側面３１４を有する。カバー側面３１４の開口部３１３側の端部には、電源端子台２００の両側のスライド溝２１９に、スライド自在に嵌合する係止突出片３２２が形成される。
【００１８】
第１カバーシート４１０は、電源端子台２００の端子台上面部２２１と対向しながらスライドする。第２カバーシート４２０は、端子台上面部２２１と第１カバーシート４１０とに挟まれ、端子台上面部２２１と第１カバーシート４１０との間を長手方向（スライド方向）にスライドする。
【００１９】
第１カバーシート４１０は、板状をなし、第１アース線用穴４１１と、第１カバー側第１電線用穴４１２（第１カバー側第１挿入孔）と、第１カバー側第２電線用穴４１３（第１カバー側第２挿入孔）と、２つの円形状の送り電線用穴４１４と、解除用穴４１５とを有する。
【００２０】
図４（ｂ）に示すように、第１アース線用穴４１１は、第１アース線用傾斜部４１１ａと、第１アース線挿入孔４１１ｂとを有する。
第１カバー側第１電線用穴４１２は第１電線用傾斜部４１２ａ（第１カバー側傾斜面）と、第１カバー側第１電線孔４１２ｂとを有する。第１電線用傾斜部４１２ａは、第１カバー側第１電線孔４１２ｂの周縁のスライド方向（Ｔ１方向）側に形成される。
第１カバー側第２電線用穴４１３は、スライド方向側に伸びた楕円形をなす第１カバー側第２電線孔４１３ａを有する。
【００２１】
第２カバーシート４２０は、板状をなし、第２アース線用穴４２１と、第２カバー側第１電線用穴４２２（第２カバー側第１挿入孔）と、第２カバー側第２電線用穴４２３（第２カバー側第２挿入孔）と、２つの円形状の送り電線用穴４２４と、解除用穴４２５とを有する。
【００２２】
第２アース線用穴４２１は、第２アース線挿入孔４２１ａを有する。第２アース線挿入孔４２１ａは、第１アース線挿入孔４１１ｂと略等しい大きさの矩形の孔である。第２アース線挿入孔４２１ａ、第１アース線挿入孔４１１ｂは、本実施の形態の機能を有することができれば、矩形でなくても、円形、多角形、その他の形状でもよい。
【００２３】
第２カバー側第１電線用穴４２２は、スライド方向側に伸びた楕円形をなす第２カバー側第１電線孔４２２ａを有する。第２カバー側第１電線孔４２２ａは、第１カバー側第１電線孔４１２ｂと第１電線用傾斜部４１２ａとを併せた全体の形状と略等しい形状の孔である。
第２カバー側第２電線用穴４２３は、第２電線用傾斜部４２３ａと、第２カバー側第２電線孔４２３ｂを有する。第２電線用傾斜部４２３ａは、第２カバー側第２電線孔４２３ｂの周縁のスライド方向（Ｔ１方向）側に形成される。
上述した第１カバー側第２電線用穴４１３の楕円形状は、第２カバー側第２電線孔４２３ｂと第２電線用傾斜部４２３ａとを併せた全体の形状と略等しい形状である。
【００２４】
なお、第１カバーシート４１０と第２カバーシート４２０が重なりあったとき、第１カバー側第１電線用穴４１２と第２カバー側第１電線用穴４２２とが重なり、第１カバー側第２電線用穴４１３と第２カバー側第２電線用穴４２３とが重なりあう位置関係に配置されている。さらに、第１カバーシート４１０と第２カバーシート４２０が重なりあったとき、第１アース線用穴４１１と第２アース線用穴４２１とが重なり、解除用穴４１５と解除用穴４２５とが重なりあう。
【００２５】
電源端子台カバー３００は、第１カバーシート４１０の下に第２カバーシート４２０が重なる状態で、カバー本体３１０内に収納され、電源端子台２００に取り付けられている。
【００２６】
次に、電源端子台２００にアース電線１２１、電源電線１２２，１２３、および送り電線１２４を挿入する過程について説明する。
【００２７】
図５は、電源端子台２００にアース電線１２１、電源電線１２２，１２３を挿入する過程を示す斜視図である。図５において、（ａ）は電源端子台２００にアース電線１２１を挿入する前の状態を示す図、（ｂ）は電源端子台２００にアース電線１２１を挿入している状態を示す図、（ｃ）は電源端子台２００へのアース電線１２１の挿入を完了した状態を示す図、（ｄ）は電源端子台２００への電源電線１２２，１２３の挿入を完了した状態を示す図である。
【００２８】
図６及び図７は、電源端子台２００にアース電線１２１、電源電線１２２，１２３を挿入する過程を示す正視図である。図６において、（ａ）は電源端子台２００にアース電線１２１を挿入する前の状態を示す図、（ｂ）は電源端子台２００にアース電線１２１を挿入した後の状態を示す図である。図７において、（ｃ）は電源端子台２００に電源電線１２２を挿入した後の状態を示す図、（ｄ）は電源端子台２００に電源電線１２３を挿入した後の状態を示す図である。
なお、図６及び図７に示す第１カバーシート４１０及び第２カバーシート４２０において、引き出し線の先が孔あるいは穴を指す場合、孔あるいは穴の縁部を指すように図示している。
また、図６及び図７において、重なっている電源端子台本体２１０、第２カバーシート４２０、第１カバーシート４１０を区別しやすくするために、電源端子台本体２１０を細かい格子、第２カバーシート４２０を粗い格子にて示している。
【００２９】
図８は、（ａ）が図４（ａ）のＢ−Ｂ断面図、（ｂ）が図４（ａ）のＣ−Ｃ断面図、（ｃ）が図４（ｂ）のＤ−Ｄ断面図、（ｄ）が図４（ｂ）のＥ−Ｅ断面図、（ｅ）が図４（ｃ）のＦ−Ｆ断面図、（ｆ）が図４（ｃ）のＧ−Ｇ断面図である。
【００３０】
図９及び図１０は、第１カバーシート４１０と第２カバーシート４２０と電源端子台２００との位置関係を示す電源端子台２００の断面の模式図である。図９のにおいて、（ａ）はアース電線１２１挿入前の状態を示す図、（ｂ）はアース電線１２１挿入後の状態を示す図である。図１０において、（ｃ）は電源電線１２２挿入後の状態を示す図、（ｄ）は電源電線１２３挿入後の状態を示す図である。また、図９及び図１０において、（ａ−１），（ｂ−１），（ｃ−１），（ｄ−１）は、電源端子台２００の非アース線側断面図を示し、（ａ−２），（ｂ−２），（ｃ−２），（ｄ−２）は、電源端子台２００のアース線側断面図を示している。
なお、図８から図１０の各断面図では、説明の簡単のため、解除用穴４１５，４２５の断面は省略している。
【００３１】
まず、電源端子台２００にアース電線１２１を挿入する前の状態について説明する。
図５（ａ）、図６（ａ）、及び図９（ａ）は、電源端子台２００にアース電線１２１を挿入していない状態を示している。電源端子台２００にアース電線１２１を挿入していない状態を電源端子台カバー３００が初期位置（第２の位置）にあるという。
【００３２】
電源端子台カバー３００が初期位置にある場合、第１アース線挿入孔４１１ｂの一部と第２アース線挿入孔４２１ａの一部とが重なっている。第１アース線挿入孔４１１ｂからは、電源端子台２００のアース線挿入孔２１１の一部が露出している。電源端子台２００のアース線挿入孔２１１は、第１アース線用傾斜部４１１ａにより約半分が塞がれている状態である。アース線挿入孔２１１は第１アース線用傾斜部４１１ａにより一部が塞がれていればよく、約半分でも、半分以上でも、半分以下でもよい。
【００３３】
ここで、２つの電源電線挿入孔２１２のうちアース線挿入孔２１１に近い方の電源電線挿入孔２１２には第１カバー側第１電線用穴４１２及び第２カバー側第１電線用穴４２２を介して電源電線１２２を挿入し、アース線挿入孔２１１に遠い方の電源電線挿入孔２１２には第１カバー側第２電線用穴４１３及び第２カバー側第２電線用穴４２３を介して電源電線１２３を挿入するものとする。また、２つの送り電線挿入孔２１３には、それぞれ送り電線用穴４１４及び送り電線用穴４２４を介して送り電線１２４を挿入するものとする。
【００３４】
初期位置においては、２つの電源電線挿入孔２１２、２つの送り電線挿入孔２１３には、電源電線１２２，１２３、送り電線１２４が挿入できない状態となっている。
図６（ａ）に示すように、第１カバー側第１電線孔４１２ｂからは電源電線挿入孔２１２が見えておらず、送り電線用穴４１４からも送り電線挿入孔２１３が見えていない。
なお、第１カバー側第２電線用穴４１３から電源電線挿入孔２１２が約半分見える状態であるが、第２電線用傾斜部４２３ａが第１カバーシート４１０によって隠された状態となっており、実質的に電源電線１２３を挿入することができない。
【００３５】
次に、アース電線１２１を第１アース線用穴４１１に挿入する過程、及びアース電線１２１を第１アース線用穴４１１に挿入した後の状態について説明する。
図５（ｂ）はアース電線１２１を第１アース線用穴４１１に挿入する過程を示し、図５（ｃ）、図６（ｂ）、及び図９（ｂ）はアース電線１２１を第１アース線用穴４１１に挿入した後の状態を示す。
図５（ｂ）に示すように、アース電線１２１の先端部分を第１アース線用穴４１１に挿入する際、アース電線１２１の先端部分が第１アース線用傾斜部４１１ａに接触する。アース電線１２１の先端部分が第１アース線用傾斜部４１１ａを挿入方向（下方向）に押圧すると、第１アース線用傾斜部４１１ａがＴ１方向にスライドし、第１カバーシート４１０がＴ１方向にスライドする。
【００３６】
アース電線１２１を第１アース線用穴４１１に挿入した後は、第１カバー側第１電線用穴４１２の第１カバー側第１電線孔４１２ｂから電源電線挿入孔２１２の一部が露出する。電源電線挿入孔２１２は、第１電線用傾斜部４１２ａにより半分塞がれた状態で第１カバー側第１電線孔４１２ｂから見える状態となる。
また、第２電線用傾斜部４２３ａが第１カバー側第２電線用穴４１３から見える状態となっている。
【００３７】
したがって、電源電線１２２を、第１電線用傾斜部４１２ａを利用して第１カバー側第１電線用穴４１２に挿入できる状態であるとともに、電源電線１２３を、第２電線用傾斜部４２３ａを利用して第２カバー側第２電線用穴４２３に挿入できる状態となっている。
この状態（図５（ｃ）、図６（ｂ）、図９（ｂ）の状態）を、電源端子台カバー３００が第１の位置にあるという。
【００３８】
電源端子台カバー３００が第１の位置にある場合、第１カバー側第１電線用穴４１２と第２カバー側第１電線用穴４２２とが重なるとともに、第２カバー側第１電線用穴４２２と電源電線挿入孔２１２の少なくとも一部とが連通する部分（第１連通部分）の一部を第１電線用傾斜部４１２ａが塞いでいる状態である。
【００３９】
また、電源端子台カバー３００が第１の位置にある場合、第１カバー側第２電線用穴４１３と第２カバー側第２電線用穴４２３とが重なるとともに、第１カバー側第２電線用穴４１３と電源電線挿入孔２１２の少なくとも一部とが連通する部分の一部を第２電線用傾斜部４２３ａが塞いでいる状態である。つまり、楕円形状の第１カバー側第２電線用穴４１３からは、第２電線用傾斜部４２３ａと第２カバー側第２電線孔４２３ｂとが見えており、第２カバー側第２電線孔４２３ｂからは電源電線挿入孔２１２の一部が見える状態となっている。
【００４０】
なお、送り電線用穴４１４からは送り電線挿入孔２１３の一部が見える状態になっているが、送り電線用穴４１４には送り電線１２４の挿入を案内する傾斜面が設けられていないため、送り電線挿入孔２１３の一部が見えている状態であったとしても送り電線用穴４１４には送り電線１２４を挿入することはできない。
【００４１】
次に、電源端子台カバー３００が第１の位置にある場合に、電源電線１２２，１２３を挿入する過程について説明する。
まず、電源電線１２２を第１カバー側第１電線用穴４１２，第２カバー側第１電線用穴４２２を介して電源電線挿入孔２１２に挿入するとともに、電源電線１２３を第１カバー側第２電線用穴４１３，第２カバー側第２電線用穴４２３を介して電源電線挿入孔２１２に挿入する場合について、説明する。
【００４２】
電源電線１２２の先端部分が、アース電線１２１と同様に、第１電線用傾斜部４１２ａに接触し、第１電線用傾斜部４１２ａを押圧する。これにより、第１カバーシート４１０がＴ１方向にさらにスライドする。そして、第１カバー側第１電線孔４１２ｂから電源電線挿入孔２１２が見える状態となり、電源電線１２２が第１カバー側第１電線用穴４１２，第２カバー側第１電線用穴４２２を介して電源電線挿入孔２１２に挿入される。
【００４３】
電源電線１２２を挿入した後の状態は、図７（ｃ）、図１０（ｃ）の状態となる。図６（ｂ）、図９（ｂ）の状態では、第１カバーシート４１０と第２カバーシート４２０とはちょうど重なった状態（第１の位置の状態）である。第１の位置において、電源電線１２２を挿入すると、第１カバーシートのみがＴ１方向にスライドし、第１カバーシート４１０と第２カバーシート４２０とがずれ、第１カバーシート４１０のＴ２側の端部から、第２カバーシート４２０が見える状態（図７（ｃ）、図１０（ｃ）の状態）となる。
ただし、実際には、第１カバーシート４１０と第２カバーシート４２０とはカバー本体３１０に収納されているのでカバーシート４００の周縁がすべて視認できるわけではない。
【００４４】
このとき、送り電線挿入孔２１３は、第１カバーシート４１０の送り電線用穴４１４から一部が見える状態であるが、一部は第２カバーシート４２０によって覆われており、第１カバーシート４１０の送り電線用穴４１４からは送り電線１２４を挿入することができない。
また、電源電線１２３を挿入する第１カバー側第２電線用穴４１３からは、電源電線挿入孔２１２の一部と第２電線用傾斜部４２３ａが見える状態となっている。
【００４５】
以上のように、電源電線１２２を挿入する際は、送り電線１２４を送り電線用穴４１４，４２４を通して送り電線挿入孔２１３に挿入できないように、電源電線１２２により第１電線用傾斜部４１２ａを押圧して第１カバーシート４１０をスライドさせ、第１カバー側第１電線用穴４１２及び第２カバー側第１電線用穴４２２を介して電源電線挿入孔２１２に挿入させるようにしている。
【００４６】
次に、図７（ｃ）、図１０（ｃ）の状態において、電源電線１２３を第１カバー側第２電線用穴４１３を介して第２カバー側第２電線用穴４２３に挿入する。アース電線１２１及び電源電線１２２の挿入時と同様に、電源電線１２３の先端部分が、第２電線用傾斜部４２３ａに接触して第２電線用傾斜部４２３ａを押圧し、第２カバーシート４２０をＴ１方向にスライドさせ、第１カバー側第２電線用穴４１３から電源電線挿入孔２１２が見える状態（図７（ｄ）、図１０（ｄ）の状態）となり、電源電線１２３が第１カバー側第２電線用穴４１３及び第２カバー側第２電線用穴４２３を介して電源電線挿入孔２１２に挿入される。
【００４７】
電源電線１２３を挿入した後の状態は、図７（ｄ）、図１０（ｄ）の状態となる。
このとき、第１カバーシート４１０の送り電線用穴４１４と、第２カバーシート４２０の送り電線用穴４２４と、電源端子台２００の送り電線挿入孔２１３とが重なりあい、送り電線１２４を挿入することが可能な状態（図７（ｄ）、図１０（ｄ）の状態）となる。
電源電線１２２，１２３を挿入した後に、送り電線挿入孔２１３に送り電線用穴４１４，４２４を介して送り電線１２４が挿入される。
【００４８】
以上のように、電源電線１２３を挿入する際は、電源電線１２２を第１カバー側第１電線用穴４１２及び第２カバー側第１電線用穴４２２を介して電源電線挿入孔２１２に挿入させた後、送り電線１２４を送り電線用穴４１４，４２４を通して送り電線挿入孔２１３に挿入できるように、電源電線１２３を第２電線用傾斜部４２３ａを押圧して第２カバーシート４２０をスライドさせ、第１カバー側第２電線用穴４１３及び第２カバー側第２電線用穴４２３を介して電源電線挿入孔２１２に挿入させるようにしている。
【００４９】
本実施の形態に係る端子台装置では、アース電線１２１を第１アース線用穴４１１に挿入して第１アース線用傾斜部４１１ａを押圧し、第１カバーシート４１０をスライドさせて、第２アース線用穴４２１を介してアース線挿入孔２１１に挿入したとき、送り電線１２４を送り電線用穴４１４，４２４を通して送り電線挿入孔２１３に挿入できないように、第１カバーシート４１０及び第２カバーシート４２０が配置される。
このとき、電源電線１２２を電源端子台２００に挿入する際に利用する第１電線用傾斜部４１２ａが電源電線挿入孔２１２の一部を塞ぐように配置されるとともに、電源電線１２３を挿入する際に利用する第２電線用傾斜部４２３ａが電源電線挿入孔２１２の一部を塞いで第１カバー側第２電線用穴４１３から露出するように配置される。
【００５０】
このように、本実施の形態に係る端子台装置によれば、アース電線１２１を挿入した後、初めて２本の電源電線１２２，１２３を挿入することができるようになり、さらに、２本の電源電線１２２，１２３を挿入した後、初めて、送り電線１２４を送り電線挿入孔２１３に挿入できる状態となる。よって、アース線、第１の電線及び第２の電線（電源電線１２２，１２３）、送り電線１２４の挿入する順番を規制することができる。
【００５１】
アース線、第１の電線及び第２の電線（電源電線１２２，１２３）、送り電線１２４の挿入の順番を規制することができるので、電源電線１２２，１２３を誤って、送り電線挿入孔２１３に挿入することがなくなり、アース線の接続忘れ、電源電線、送り電線の誤挿入・誤配線を防止することができ、安全性の高い端子台装置を提供することができる。
【００５２】
以上、本発明の実施の一形態について説明したが、本発明は上記の実施の形態に限定されるものではなく、必要に応じて種々の変更が可能である。
【符号の説明】
【００５３】
１２１  アース電線、１２２  電源電線、１２３  電源電線、１２４  送り電線、２００  電源端子台、２１０  電源端子台本体、２１１  アース線挿入孔、２１２  電源電線挿入孔、２１３  送り電線挿入孔、２１４  アース線解除穴、２１５  電線解除穴、２１６  内部配線孔、２１７  係止爪、２１８  ネジ穴、２１９  スライド溝、２２０  凸部、２２１  端子台上面部、２２２  端子台側面部、３００  電源端子台カバー、３１０  カバー本体、３１１  カバーシート挿入部、３１２  窓部、３１３  開口部、３１４  カバー側面、３２２  係止突出片、４００  カバーシート、４１０  第１カバーシート、４１１  第１アース線用穴、４１１ａ  第１アース線用傾斜部、４１１ｂ  第１アース線挿入孔、４１２  第１カバー側第１電線用穴、４１２ａ  第１電線用傾斜部、４１２ｂ  第１カバー側第１電線孔、４１３  第１カバー側第２電線用穴、４１３ａ  第１カバー側第２電線孔、４１４  送り電線用穴、４１５  解除用穴、４２０  第２カバーシート、４２１  第２アース線用穴、４２１ａ  第２アース線挿入孔、４２２  第２カバー側第１電線用穴、４２２ａ  第２カバー側第１電線孔、４２３  第２カバー側第２電線用穴、４２３ａ  第２電線用傾斜部、４２３ｂ  第２カバー側第２電線孔、４２４  送り電線用穴、４２５  解除用穴。
【図１】
2014154338.tif 000003
【図２】
2014154338.tif 000004
【図３】
2014154338.tif 000005
【図４】
2014154338.tif 000006
【図５】
2014154338.tif 000007
【図６】
2014154338.tif 000008
【図７】
2014154338.tif 000009
【図８】
2014154338.tif 000010
【図９】
2014154338.tif 000011
【図１０】
2014154338.tif 000012